(57)【要約】【課題】低圧損で脱臭能力に優れた脱臭フィルタ及び脱臭装置を提供することを目的とする。【解決手段】湾曲させて円弧状にした板状脱臭体２を、隣接する板状脱臭体２と空間を介して複数積層した脱臭フィルタ３と、板状脱臭体２に紫外線を照射する紫外線ランプ４とを備えた脱臭装置であって、脱臭フィルタ３は湾曲する板状脱臭体２の底面が通風方向に対して傾きを持つように板状脱臭体２を積層して成り、且つ板状脱臭体２の湾曲していない辺が通風方向に対して直行する向きに配置され、紫外線ランプ４は脱臭フィルタ３の通風面に近接して配置されていることを特徴とする脱臭装置１を提供する。【選択図】図３
2009066096.tif 000002
【特許請求の範囲】
【請求項１】
板状の基材に脱臭剤を担持した板状脱臭体を湾曲させて円弧状にし、前記円弧状の板状脱臭体を空間を介して複数積層したことを特徴とする脱臭フィルタ。
【請求項２】
板状の基材に脱臭剤を担持した板状脱臭体を湾曲させて円弧状にし、前記円弧状の板状脱臭体を空間を介して複数積層した脱臭フィルタと、前記板状脱臭体に紫外線を照射する紫外線ランプとを備えた脱臭装置であって、前記脱臭フィルタは湾曲する板状脱臭体の底面が通風方向に対して傾きを持つように前記板状脱臭体を積層させ、且つ前記板状脱臭体の湾曲していない辺が通風方向に対して直交する向きに配置され、紫外線ランプは脱臭フィルタの通風面に近接して配置されていることを特徴とする脱臭装置。
【請求項３】
紫外線ランプが棒状であり、紫外線ランプの長手方向を板状脱臭体の積層方向に沿わせて配置することを特徴とする請求項２に記載の脱臭装置。
【請求項４】
紫外線ランプと近接する辺以外の板状脱臭体の周囲に補強支持枠を設けることを特徴とする請求項２または３に記載の脱臭装置。
【請求項５】
板状脱臭体の湾曲した両辺の円弧部分に、同曲率の補強支持体を設けることを特徴とする請求項１乃至３のいずれかに記載の脱臭フィルタ及び脱臭装置。
【請求項６】
板状脱臭体の湾曲した両辺に、円弧部分の両端を結ぶ弦の長さと同じ長さの直線状補強支持体を設けることを特徴とする請求項１乃至３のいずれかに記載の脱臭フィルタ及び脱臭装置。
【請求項７】
補強支持体が光を反射することを特徴とする請求項５または６に記載の脱臭フィルタ及び脱臭装置。
【請求項８】
板状脱臭体の積層間隔が、板状脱臭体の形成する円弧の両端を結んだ線部が隣接する板状脱臭体の接線となる距離であることを特徴とする請求項１乃至６のいずれかに記載の脱臭フィルタ及び脱臭装置。
【請求項９】
板状脱臭体の形成する円弧の両端を結んだ線部と、円弧端部の接線とが成す角度が９０度以下であることを特徴とする請求項１乃至７のいずれかに記載の脱臭フィルタ及び脱臭装置。
【請求項１０】
板状脱臭体に支持棒を貫通させ、板状脱臭体同士の間にスペーサを設けて積層することを特徴とする請求項１乃至８のいずれかに記載の脱臭フィルタ及び脱臭装置。
【請求項１１】
積層方向に可動する支持棒と連動して板状脱臭体の傾斜角度が変動することを特徴とする請求項１乃至９のいずれかに記載の脱臭フィルタ及び脱臭装置。
【請求項１２】
脱臭剤が光触媒と吸着剤を混合したものであることを特徴とする請求項１乃至１０のいずれかに記載の脱臭フィルタ及び脱臭装置。
【請求項１３】
板状の基材がガラス繊維織物であることを特徴とする請求項１乃至１１のいずれかに記載の脱臭フィルタ及び脱臭装置。
【請求項１４】
紫外線ランプを脱臭フィルタの下流側に配置することを特徴とする請求項１乃至１２のいずれかに記載の脱臭装置。
【発明の詳細な説明】
【技術分野】
【０００１】
本発明は、例えば、光触媒を利用した脱臭フィルタと、この脱臭フィルタを組み込んだ脱臭装置に関する。
【背景技術】
【０００２】
光触媒を利用した脱臭装置として特開平１０−２８６４３６号公報に開示されるものが知られている（例えば、特許文献１参照）。すなわち、酸化チタン等の光触媒とハイシリカゼオライト等の吸着剤からなる板状脱臭体を、通風方向に対し略平行に複数配置した脱臭ユニットと、紫外線ランプから構成された脱臭装置であり、通風方向に対して略平行に配置することで、脱臭装置の通風の圧力損失を少なくし、また紫外線ランプの照射において板状脱臭体自身によって隣接する板状脱臭体に陰をつくることがなくなるというものである。
【特許文献１】特開平１０−２８６４３６号公報
【発明の開示】
【発明が解決しようとする課題】
【０００３】
上記特許文献１に示される従来例にあっては、板状脱臭体の成形方法として光触媒と吸着剤とを混合してなる脱臭剤を板状に成形するか、若しくは板体表面に光触媒と吸着剤とを混合してなる脱臭剤の層を形成するとしている。
【０００４】
一方、圧力損失を少なくし、また紫外線ランプの照射において板状脱臭体自身によって隣接する板状脱臭体に陰をつくることがないようにするには板状脱臭体の厚みを極力薄くする必要があるが、上記の形成手段には板状脱臭体に強度を持たせる工夫がなされておらず、風圧や重力によって板状脱臭体が変形し、圧力損失が上がってしまうという課題があった。また、厚みを薄くし、且つ強度を持たせるためには板体として金属板や樹脂板などそれ自体に強度を持つ基材に脱臭剤の層を形成することが考えられるが、平板では表面積が低く、脱臭剤の担持量が少ないという課題があった。
【０００５】
また上記従来例にあっては、平板の板状脱臭体が略平行に配置されており、照射した紫外線が遮へいされずに外部に漏洩してしまう。そのため脱臭装置の外側全てに光を遮へいする遮へい板若しくは光を反射させる反射板を設けなければならないという課題があった。
【０００６】
本発明はこのような従来の課題を鑑みてなされたものであり、板状脱臭体自身を湾曲させるという極めて単純な方法によって、平板では強度が弱く、厚みの薄い板状脱臭体でも強度を上げることができ、重力や風圧による変形を抑えることができるため圧力損失が上がるのを抑えることができる。また例えば網状体、不織布、織布のような強度は弱くても３次元構造をとる基材を用いることによって脱臭剤の担持量を多くすることができる。また、湾曲した板状脱臭体を積層することで通風による圧力損失の向上は抑えながら直進する光を遮へいすることができるため、脱臭装置の外側に遮へい板や反射板を設けなくとも紫外線が脱臭体の隙間から漏洩するのを防ぐことができる。
【課題を解決するための手段】
【０００７】
上記目的を達成するために本発明の脱臭フィルタは、請求項１記載のとおり、板状の基材に脱臭剤を担持した板状脱臭体を湾曲させて円弧状にし、前記円弧状の板状脱臭体を空間を介して複数積層したことを特徴とするものである。
【０００８】
また、請求項２記載の脱臭装置は、板状の基材に脱臭剤を担持した板状脱臭体を湾曲させて円弧状にし、前記円弧状の板状脱臭体を空間を介して複数積層した脱臭フィルタと、前記板状脱臭体に紫外線を照射する紫外線ランプとを備えた脱臭装置であって、前記脱臭フィルタは湾曲する板状脱臭体の底面が通風方向に対して傾きを持つように前記板状脱臭体を積層させ、且つ前記板状脱臭体の湾曲していない辺が通風方向に対して直交する向きに配置され、紫外線ランプは脱臭フィルタの通風面に近接して配置されていることを特徴とするものである。
【０００９】
また、請求項３記載の脱臭装置は、紫外線ランプが棒状であり、紫外線ランプの長手方向を板状脱臭体の配列方向に沿わせて配置することを特徴とするものである。
【００１０】
また、請求項４記載の脱臭装置は、紫外線ランプと近接する辺以外の板状脱臭体の周囲に補強支持枠を設けることを特徴とするものである。
【００１１】
また、請求項５記載の脱臭フィルタ及び脱臭装置は、板状脱臭体の湾曲した両辺の円弧部分に、同曲率の補強支持体を設けることを特徴とするものである。
【００１２】
また、請求項６記載の脱臭フィルタ及び脱臭装置は、板状脱臭体の湾曲した両辺に、円弧部分の両端を結ぶ弦の長さと同じ長さの直線状補強支持体を設けることを特徴とするものである。
【００１３】
また、請求項７記載の脱臭フィルタ及び脱臭装置は、補強支持体が光を反射することを特徴とするものである。
【００１４】
また、請求項８記載の脱臭フィルタ及び脱臭装置は、板状脱臭体の積層間隔が、板状脱臭体の形成する円弧の両端を結んだ線部が隣接する板状脱臭体の接線となる距離であることを特徴とするものである。
【００１５】
また、請求項９記載の脱臭フィルタ及び脱臭装置は、板状脱臭体の形成する円弧の両端を結んだ線部と、円弧端部の接線とが成す角度が９０度以下であることを特徴とするものである。
【００１６】
また、請求項１０記載の脱臭フィルタ及び脱臭装置は、板状脱臭体に支持棒を貫通させ、板状脱臭体同士の間にスペーサを設けて積層することを特徴とするものである。
【００１７】
また、請求項１１記載の脱臭フィルタ及び脱臭装置は、積層方向に可動する支持棒と連動して板状脱臭体の傾斜角度が変動することを特徴とするものである。
【００１８】
また、請求項１２記載の脱臭フィルタ及び脱臭装置は、脱臭剤が光触媒と吸着剤を混合したものであることを特徴とするものである。
【００１９】
また、請求項１３記載の脱臭フィルタ及び脱臭装置は、板状の基材がガラス繊維織物であることを特徴とするものである。
【００２０】
また、請求項１４記載の脱臭装置は、紫外線ランプを脱臭フィルタの下流側に配置することを特徴とするものである。
【発明の効果】
【００２１】
本発明によれば、湾曲させた板状脱臭体を積層させることで圧力損失の向上を抑えた脱臭フィルタを提供することができる。また、脱臭剤の担持重量が多く、且つ紫外線ランプによる紫外線を効率よく利用した高性能の脱臭装置を提供することができる。
【発明を実施するための最良の形態】
【００２２】
上記目的を達成するために、本発明の請求項１記載の脱臭フィルタは、板状の基材に脱臭剤を担持した板状脱臭体を湾曲させて円弧状にし、前記円弧状の板状脱臭体を空間を介して複数積層したことを特徴とするものである。
【００２３】
こうすることで板状脱臭体自身にある程度の強度を持たせることができ、例えば板状脱臭体を水平方向に配置したとしても重力によって弛みが生まれることを防ぐことができ、また通風による風圧で板状脱臭体が変形することを防ぐことができる。その結果金属板のような固い基材を用いることなく基材強度を上げることができるため、板状脱臭体の厚みを薄くし、圧力損失を低減することができるという作用を有する。
【００２４】
また、板状脱臭体を湾曲させることで平板と比べ１枚の板状脱臭体の面積が増えるため、フィルタ面積をより多くすることができるという作用を有する。
【００２５】
また、請求項２記載の脱臭装置は、板状の基材に脱臭剤を担持した板状脱臭体を湾曲させて円弧状にし、前記円弧状の板状脱臭体を空間を介して複数積層した脱臭フィルタと、前記板状脱臭体に紫外線を照射する紫外線ランプとを備えた脱臭装置であって、前記脱臭フィルタは湾曲する板状脱臭体の底面が通風方向に対して傾きを持つように前記板状脱臭体を積層させ、且つ前記板状脱臭体の湾曲していない辺が通風方向に対して直交する向きに配置され、紫外線ランプは脱臭フィルタの通風面に近接して配置されていることを特徴とするものである。
【００２６】
本発明による脱臭装置の概要を図１を用いて説明する。図１は脱臭装置の概略断面図である。脱臭装置１は湾曲させた板状脱臭体２を、隣接する板状脱臭体と空間を介して複数積層して成る脱臭フィルタ３と、板状脱臭体に紫外線を照射する紫外線ランプ４を備えて成る。板状脱臭体２はその底面５が積層方向に対して傾きを持つように積層されている。ここで底面５とは、板状脱臭体を湾曲することで形成する円弧６の両端を結んだ線部（円弧６の弦）が連続して形成する架空の面である。また、脱臭フィルタは通風方向に対して湾曲した面が直行するような向き、つまり板状脱臭体の湾曲していない辺が配列している面が通風方向に対して直行する向きに配置されている。また、紫外線ランプは脱臭フィルタの通風面に近接して配置されている。
【００２７】
このような構成とすることで前記請求項１記載の発明と同様に圧力損失を低減することが可能である。また、板状脱臭体を積層方向に対して傾けることで紫外線ランプの照射光がより板状脱臭体表面に照射されるという作用を有する。またフィルタを通過するまでの通風路をより長くすることができ、脱臭能力が高くなるという作用を有する。また板状脱臭体を傾けることで紫外線ランプから照射される紫外線がフィルタの反対側に漏洩するのを防ぐことができ、且つ紫外線の照射光を最大限活用できるという作用を有する。尚、板状脱臭体の傾きとしては圧力損失に影響しない角度であることが好ましく、具体的には５度〜３０度の範囲であることが好ましい。尚、紫外線ランプとしては冷陰極ランプ、ブラックライト、殺菌灯、ＬＥＤなど光触媒を励起することができればいかなる手段を用いてもよい効果に何ら差異はない。
【００２８】
また、請求項３記載の脱臭装置は、紫外線ランプが棒状であり、紫外線ランプの長手方向を板状脱臭体の配列方向に沿わせて配置することを特徴とするものである。
【００２９】
棒状の紫外線ランプとしては冷陰極管、ブラックライト、殺菌灯、ＬＥＤなどが上げられるが、冷陰極管は比較的低コストであり、耐久寿命も長いことからより好ましい。こうすることで積層された板状脱臭体に均一に紫外線を照射することができ、効率よく光照射することができるという作用を有する。
【００３０】
また、請求項４記載の脱臭装置は、紫外線ランプと近接する辺以外の板状脱臭体の周囲に補強支持枠を設けることを特徴とするものである。
【００３１】
本発明による脱臭フィルタ及び脱臭装置は板状脱臭体を湾曲させることで板状脱臭体自身の強度をある程度向上させることができるが、別途補強支持枠を板状脱臭体周辺部に設けることでさらに強度を上げ、積層したときの整列性を高めることができる。しかし、補強支持枠を設けることで光照射したときにその部分が影となり、光触媒の脱臭性能が低下してしまう恐れがある。特に紫外線ランプに最も近い照射面近傍の板状脱臭体に影ができてしまうことによる脱臭性能の低下は無視できないものである。
【００３２】
本発明によれば、板状脱臭体を湾曲させることで板状脱臭体自身の強度を向上させることができるため、板状脱臭体周辺部全てに支持枠を設ける必要はなく、例えば四角形の板状脱臭体であれば３辺あるいは２辺に支持枠を設ければ十分な強度と整列性を確保できる。
【００３３】
こうすることで板状脱臭体の強度を十分に向上し、且つ脱臭性能の低減を抑制できるという作用を有する。尚、補強支持枠の素材としては強度と耐光性があればいかなるものでも効果になんら差異はない。また、補強支持枠の幅長さとしては板状脱臭体を積層したときに強度と整列性が最低限確保できる程度の長さであれば良く、２ｍｍ〜５ｍｍ程度であれば良い。
【００３４】
また、請求項５記載の脱臭フィルタ及び脱臭装置は、板状脱臭体の湾曲した両辺の円弧部分に、同曲率の補強支持体を設けることを特徴とするものである。
【００３５】
こうすることで板状脱臭体の強度をさらに向上することができるという作用を有する。
【００３６】
また、請求項６記載の脱臭フィルタ及び脱臭装置は、板状脱臭体の湾曲した両辺に、円弧部分の両端を結ぶ弦の長さと同じ長さの直線状補強支持体を設けることを特徴とするものである。
【００３７】
こうすることで板状脱臭体の強度をさらに向上することができ、且つ補強支持体の直線部の長さに揃えて板状脱臭体を湾曲するため、フィルタの成形性を高めることができるという作用を有する。
【００３８】
また、請求項７記載の脱臭フィルタ及び脱臭装置は、補強支持体が光を反射することを特徴とするものである。こうすることで補強支持体自身がつくる影による脱臭性能の低下を最小限に防ぐことができるという作用を有する。
【００３９】
また、請求項８記載の脱臭フィルタ及び脱臭装置は、板状脱臭体の積層間隔が、板状脱臭体の形成する円弧の両端を結んだ線部が隣接する板状脱臭体の接線となる距離であることを特徴とするものである。
【００４０】
本発明における脱臭フィルタは、湾曲した板状脱臭体を積層して成るため、脱臭フィルタ内部の通風路は板状脱臭体の湾曲面に沿うようにカーブしている。そのため積層間隔を狭めすぎると板状脱臭体の湾曲が影となり光触媒性能が低下してしまう。こうすることでフィルタに入射した紫外線はフィルタの出口付近でも最低限の照射強度を与えることができ、板状脱臭体の全面において脱臭能力を発揮できるという作用を有する。
【００４１】
また、請求項９記載の脱臭フィルタ及び脱臭装置は、板状脱臭体の形成する円弧の両端を結んだ線部と、円弧端部の接線とが成す角度が９０度以下であることを特徴とするものである。こうすることでフィルタに入射した紫外線は隣接する板状脱臭体に妨げられることなくフィルタの出口付近まで到達することができ、板状脱臭体の全面において脱臭能力を発揮できるという作用を有する。
【００４２】
また、請求項１０記載の脱臭フィルタ及び脱臭装置は、板状脱臭体に支持棒を貫通させ、板状脱臭体同士の間にスペーサを設けて積層することを特徴とするものである。
【００４３】
こうすることで板状脱臭体を一定間隔で積層するためのケースやスリットなどの機構を別途設けることなく一定間隔で板状脱臭体を積層することができる。また、支持体が棒状であるため、支持体自身による影を最小限にすることができ、脱臭性能の低下を抑制することができるという作用を有する。
【００４４】
また、請求項１１記載の脱臭フィルタ及び脱臭装置は、積層方向に可動する支持棒と連動して板状脱臭体の傾斜角度が変動することを特徴とするものである。
【００４５】
こうすることで板状脱臭体の傾きや湾曲による紫外線ランプからの紫外線の照射むらをなくすことができ、板状脱臭体全面で効率良く脱臭能力を発揮することができるという作用を有する。
【００４６】
また、請求項１２記載の脱臭フィルタ及び脱臭装置は、脱臭剤が光触媒と吸着剤を混合したものであることを特徴とするものである。
【００４７】
酸化チタンなどの光触媒はそれ自体に吸着性はほとんどなく、そのため光触媒単独では脱臭能力を発揮することはできない。また、吸着剤自身は様々な悪臭ガスを吸着することができるが再生能力はなく、ある程度吸着したところから性能が急激に劣化してしまう。そこで光触媒と脱臭剤を混合することにより一旦吸着剤で吸着した悪臭ガス成分を隣接する光触媒で分解することで優れた脱臭性能を発揮し、且つ吸着剤の劣化も少なくすることができるという作用を有する。尚、吸着剤としては活性炭、ゼオライト、シリカなど様々なものが挙げられるが、中でもハイシリカゼオライトなどの疎水性ゼオライトは特に吸着性能に優れ、且つそれ自体は白色粉体で紫外線を吸収しないため、光触媒の光励起を妨げることはない。また、ゼオライトには光を反射する性質を持っていることから吸着剤として好ましい。
【００４８】
また、請求項１３記載の脱臭フィルタ及び脱臭装置は、板状の基材がガラス繊維織物であることを特徴とするものである。
【００４９】
こうすることで厚みの薄い基材でありながら強度を持った板状脱臭体を形成することができ、圧力損失を低減することができるという作用を有する。また、３次元構造を有しているため表面積が大きく、繊維と繊維の微小な隙間にも脱臭剤を担持できることから担持量を増やすことができ、優れた脱臭性能を発揮することができるという作用を有する。
【００５０】
また、請求項１４記載の脱臭装置は、紫外線ランプを脱臭フィルタの下流側に配置することを特徴とするものである。
【００５１】
こうすることで脱臭フィルタの前方に紫外線が漏洩することがなく、且つ高い脱臭性能を発揮できるという作用を有する。
【００５２】
以下、本発明の実施の形態について図面を参照しながら説明するが、本発明はこれに限定されるものではない。
【００５３】
（実施の形態１）
本発明の実施の形態１の脱臭フィルタを図２に示す。図２に示すように、脱臭フィルタ３は光触媒と吸着剤とを板状基材に担持した板状脱臭体２を湾曲させ、複数の板状脱臭体を空間を介して積層して成る。板状脱臭体２の両側面には湾曲した板状脱臭体と同じ曲率の補強用支持体７が設けられており、補強用支持体７の一部を貫通して全ての補強用支持体７が支持棒８によって連結されている。支持棒８には一定間隔でスペーサ９が設けられており、隣接する板状脱臭体２同士は一定の間隔を空けて積層されている。
【００５４】
板状脱臭体２は脱臭フィルタ３の大きさに合わせて形状や大きさを決めれば良いが、装置の省スペースを考慮すれば概ね四角形が好ましい。また、通風方向に対する奥行きの寸法としては、紫外線の照射強度は光源から離れるに従って衰えることから、あまり長くすると紫外線が届かず光触媒の脱臭性能を発揮できないため概ね５０ｍｍ〜１００ｍｍ程度にすることが好ましい。
【００５５】
板状脱臭体２の曲げ度合いについては、板状脱臭体２の形成する円弧６の両端を結んだ線部と、円弧端部の接線とが成す角度が９０度以下であることが好ましく、より好ましくは１０度〜４５度の範囲である。
【００５６】
板状脱臭体２の基材としては脱臭剤が担持可能で、且つ紫外線に対する耐光性を有していればいかなるものを用いても良いが、ガラス繊維を織り込んだガラス繊維織物は強度、耐光性に優れ、また３次元的にガラス繊維が編みこまれているため表面積が大きく繊維と繊維の細かい隙間にも脱臭剤を担持できることから脱臭剤を多く担持可能であり、基材として好ましい。
【００５７】
補強用支持体７は板状脱臭体２と同じ局率で湾曲しており、板状脱臭体２の両側面に沿わせるように固定されている。補強用支持体７はアルミニウムやステンレスなど曲げ加工ができて強度を有していればいかなるものを用いても効果に差異はない。また、補強支持体には鏡面加工が施されており、紫外線を反射する効果を有する。
【００５８】
また、補強用支持体７には数箇所に孔が設けられており、この孔に支持棒８が貫通して全ての板状脱臭体が連結されている。孔の数としては両側の補強支持体にそれぞれ最低１箇所設けることが好ましく、脱臭フィルタ３全体の強度を確保するためには２箇所以上設けることが好ましい。支持棒８はアルミニウムやステンレスなど強度を有していればいかなるものを用いてもよく、また支持棒８にも鏡面加工が施されていることが好ましい。
【００５９】
また、スペーサ９は支持棒８に挿入できるよう中空になっており、積層する板状脱臭体の曲面に合わせて端面がカットされている。スペーサ９においても支持棒８と同様の素材を用いることが好ましく、鏡面加工が施されていることが好ましい。
【００６０】
（実施の形態２）
本発明の実施の形態２の脱臭装置を図３に示す。図３に示すように、脱臭装置１は光触媒と吸着剤とを板状基材に担持した板状脱臭体２を湾曲させ、複数の板状脱臭体を空間を介して積層して成る脱臭フィルタ３と紫外線ランプ４とから構成されている。板状脱臭体２の両側面には湾曲した板状脱臭体と同じ曲率の補強用支持体７が設けられており、補強用支持体７の一部を貫通して全ての補強用支持体７が支持棒８によって連結されている。支持棒８には一定間隔でスペーサ９が設けられており、隣接する板状脱臭体２同士は一定の間隔を空けて積層されている。
【００６１】
板状脱臭体２は脱臭フィルタ３の大きさに合わせて形状や大きさを決めれば良いが、装置の省スペースを考慮すれば概ね四角形が好ましい。また、通風方向に対する奥行きの寸法としては、紫外線の照射強度は光源から離れるに従って衰えることから、あまり長くすると紫外線が届かず光触媒の脱臭性能を発揮できないため概ね５０ｍｍ〜１００ｍｍ程度にすることが好ましい。
【００６２】
板状脱臭体２の曲げ度合いについては、板状脱臭体２の形成する円弧６の両端を結んだ線部と、円弧端部の接線とが成す角度が９０度以下であることが好ましく、より好ましくは１０度〜４５度の範囲である。
【００６３】
板状脱臭体２の基材としては脱臭剤が担持可能で、且つ紫外線に対する耐光性を有していればいかなるものを用いても良いが、ガラス繊維を織り込んだガラス繊維織物は強度、耐光性に優れ、また３次元的にガラス繊維が編みこまれているため表面積が大きく繊維と繊維の細かい隙間にも脱臭剤を担持できることから脱臭剤を多く担持可能であり、基材として好ましい。
【００６４】
補強用支持体７は板状脱臭体２と同じ局率で湾曲しており、板状脱臭体２の両側面に沿わせるように固定されている。補強用支持体７はアルミニウムやステンレスなど曲げ加工ができて強度を有していればいかなるものを用いても効果に差異はない。また、補強支持体には鏡面加工が施されており、紫外線を反射する効果を有する。
【００６５】
補強用支持体７の別の構成を図４に示す。図４は別の構成の補強支持体を備えた脱臭フィルタの一部の断面図である。補強用支持体７は板状脱臭体２の湾曲した両辺に備え、円弧部分の両端を結ぶ弦の長さと同じ長さになるよう構成されている。補強支持体の両端は水平になるように屈折しており、この部分に板状脱臭体を固定することで容易に板状脱臭体を湾曲させることが可能である。また、板状脱臭体の側面に直接補強支持体が接していないために補強支持体自身の影による光触媒性能への影響が最小限に抑えることができるという作用を有する。
【００６６】
また、補強用支持体７には数箇所に孔が設けられており、この孔に支持棒８が貫通して全ての板状脱臭体が連結されている。孔の数としては両側の補強支持体にそれぞれ最低１箇所設けることが好ましく、脱臭フィルタ３全体の強度を確保するためには２箇所以上設けることが好ましい。支持棒８はアルミニウムやステンレスなど強度を有していればいかなるものを用いてもよく、また支持棒８にも鏡面加工が施されていることが好ましい。
【００６７】
また、スペーサ９は支持棒８に挿入できるよう中空になっており、積層する板状脱臭体の曲面に合わせて端面がカットされている。スペーサ９においても支持棒８と同様の素材を用いることが好ましく、鏡面加工が施されていることが好ましい。
【００６８】
紫外線ランプ４は棒状であり、通風方向に対して脱臭フィルタの下流側に、脱臭フィルタの積層方向に沿うように設置されている。紫外線ランプとしては冷陰極管、ブラックライト、殺菌灯、ＬＥＤなどが上げられるが、冷陰極管は比較的低コストであり、耐久寿命も長いことからより好ましい。
【００６９】
尚、本実施例においては紫外線ランプ４を脱臭フィルタ３の下流側に３本具備しているが、脱臭フィルタ３の横幅に合わせて紫外線ランプの本数を増やせば良い。また脱臭性能別途反射板を用いることで上流側に具備することも可能である。
【産業上の利用可能性】
【００７０】
本発明により、低圧損で脱臭性能に優れた脱臭フィルタを提供することができる。また、この脱臭フィルタを用いることで、様々な悪臭ガスに対する脱臭能力に優れた脱臭装置や空気清浄機などの用途にも適用できる。
【図面の簡単な説明】
【００７１】
【図１】本発明を実施するための最良の形態の脱臭装置の構成を表す概略断面図
【図２】本発明の実施の形態１の脱臭フィルタの概略図
【図３】本発明の実施の形態２の脱臭装置の概略図
【図４】同補強支持体の別実施例を示す概略断面図
【符号の説明】
【００７２】
１    脱臭装置
２    板状脱臭体
３    脱臭フィルタ
４    紫外線ランプ
５    底面
６    円弧
７    補強用支持体
８    支持棒
９    スペーサ
【図１】
2009066096.tif 000003
【図２】
2009066096.tif 000004
【図３】
2009066096.tif 000005
【図４】
2009066096.tif 000006